(57)【要約】      （修正有）【課題】頻繁に取替える必要がなく使用寿命の延長が可能な、多層式保護フィルムを提供する。【解決手段】第一保護ユニット３１と、第一保護ユニット３１上に貼着された第二保護ユニット３２とからなる。第一保護ユニット３１は、第一本体３１０からなり、第一本体３１０は表側面３１１と、表側面３１１の逆側に設けられた結合面３１３を有する。第二保護ユニット３２は、剥がし取りが可能なように第一本体３１０の表側面に貼着されるとともに、第二本体３２１と、第二本体３２１における第一本体３１０に向いた一側に形成された第一粘着層３２２とからなる。電子機器の画面上に貼着された多層式保護フィルム３は、画面から発せられるブルーライトをカットしたり弱めたりするという第一保護ユニット３１が有する効果によって、使用者の目を保護する。【選択図】図３
0003196045.tif 000002
【実用新案登録請求の範囲】
【請求項１】
第一保護ユニットと、第二保護ユニットとからなる多層式保護フィルムであって、
前記第一保護ユニットは、第一本体からなり、
前記第一本体は、表側面と、前記表側面の逆側に設けられた結合面を有し、
前記第二保護ユニットは、剥がし取りが可能なように前記第一本体の表側面に貼着されるとともに、第二本体と、前記第二本体における前記第一本体に向いた一側に形成された第一粘着層とからなることを特徴とする、多層式保護フィルム。
【請求項２】
前記第一保護ユニットには、更に、前記第一本体の結合面に形成された結合層が設けられることを特徴とする、請求項１に記載の多層式保護フィルム。
【請求項３】
前記多層式保護フィルムには、更に、前記結合層に貼着されるとともに前記第一本体の逆側に位置する第一剥離膜が設けられることを特徴とする、請求項２に記載の多層式保護フィルム。
【請求項４】
前記第一本体は、ブルーライト対応フィルムであることを特徴とする、請求項１に記載の多層式保護フィルム。
【請求項５】
前記第二本体は、第一香気を有することを特徴とする、請求項１に記載の多層式保護フィルム。
【請求項６】
前記多層式保護フィルムには、更に、前記第二保護ユニット上に剥がし取りが可能なように貼着された第二剥離膜が設けられることを特徴とする、請求項１に記載の多層式保護フィルム。
【請求項７】
前記多層式保護フィルムには、更に、前記第二保護ユニット上に剥がし取りが可能なように貼着された第三保護ユニットが設けられ、
前記第三保護ユニットは、第三本体と、前記第三本体における前記第二保護ユニットに向いた一側に形成された第二粘着層とからなることを特徴とする、請求項１に記載の多層式保護フィルム。
【請求項８】
前記第一粘着層の粘性は、前記第二粘着層よりも強いことを特徴とする、請求項７に記載の多層式保護フィルム。
【請求項９】
前記第三本体は、第二香気を有することを特徴とする、請求項７に記載の多層式保護フィルム。
【請求項１０】
前記多層式保護フィルムには、更に、前記第三保護ユニット上に剥がし取りが可能なように貼着された第二剥離膜が設けられることを特徴とする、請求項７に記載の多層式保護フィルム。
【考案の詳細な説明】
【技術分野】
【０００１】
本考案は、保護フィルムに関し、特に多層式保護フィルムに関する。
【背景技術】
【０００２】
図１を参照する。従来の保護フィルム１は、薄面状を呈した本体１１と、本体１１一側面に形成された結合層１２と、結合層１２における本体１１とは逆の一側に貼着された剥離層１３とからなる。このうち、結合層１２は、他の物品の表面と粘着されるために用いられる。また、剥離層１３は、使用前の結合層１２を保護するために用いられる。図２を参照する。保護フィルム１を使用する時は、剥離層１３を剥がし取るとともに、結合層１２によって本体１１を画面２上に貼着させる。
【０００３】
しかし、保護フィルム１は、一定時間使用された場合、本体１１の硬度が低いため、埃や砂等の異物によって傷付けられて跡が付きやすく、画面２を見る際の視覚効果に影響が出てしまう。画面２を見る際の視覚効果を維持するためには、頻繁に保護フィルム１を取替えなければならず、手間がかかって不便である。
【考案の概要】
【考案が解決しようとする課題】
【０００４】
そこで、本考案は、頻繁に取替える必要がなく、且つ使用寿命を延長することができる、多層式保護フィルムを提供することを目的とする。
【課題を解決するための手段】
【０００５】
上述の目的を達成するため、本考案の多層式保護フィルムは、第一保護ユニットと、前記第一保護ユニット上に貼着された第二保護ユニットとからなる。前記第一保護ユニットは、第一本体からなり、前記第一本体は、表側面と前記表側面の逆側に設けられた結合面を有する。前記第二保護ユニットは、剥がし取りが可能なように前記第一本体の表側面に貼着されるとともに、第二本体と、前記第二本体における前記第一本体に向いた一側に形成された第一粘着層とからなる。
【考案の効果】
【０００６】
以上の構造によってなる本考案の多層式保護フィルムは、一定時間使用して異物によって傷付いた第二保護ユニットを直接剥がすことにより、画面を見る際の視覚効果を維持できるため、頻繁に取替える必要がなくなるという効果を有する。
【図面の簡単な説明】
【０００７】
【図１】従来の保護フィルムの側視図である。
【図２】従来の保護フィルムを画面に貼着した際の斜視分解図である。
【図３】本考案の多層式保護フィルムの実施例１を示した側視図である。
【図４】本考案の実施例１を電子機器の画面に貼着した際の斜視分解図である。
【図５】本考案の実施例１における第二保護ユニットを示した概略図である。
【図６】本考案の多層式保護フィルムの実施例２を示した側視図である。
【図７】本考案の実施例２における第三保護ユニットを示した概略図である。
【考案を実施するための形態】
【０００８】
（実施例１）
図３を参照する。本考案の多層式保護フィルム３の実施例１は、第一保護ユニット３１と、第一保護ユニット３１上に貼着された第二保護ユニット３２と、第二保護ユニット３２の逆側に位置するように第一保護ユニット３１に貼着された第一剥離膜３３と、剥がし取りが可能なように第二保護ユニット３２上に貼着された第二剥離膜３４とからなる。
【０００９】
第一保護ユニット３１は、第一本体３１０と、第一本体３１０に形成された結合層３１３とからなる。第一本体３１０は、表側面３１１と、表側面３１１の逆側に設けられた結合面３１２を有する。結合層３１３は、第一本体３１０の結合面３１２に形成される。また、第一剥離膜３３は、第一本体３１０の逆側に位置するように結合層３１３に貼着されることにより、結合層３１３の粘性を維持し、埃や異物が結合層３１３に付着して第一本体３１０がスムーズに保護すべき物品上に貼着できなくなることを防ぐ。
【００１０】
最近の研究によると、液晶画面を長時間見続けた場合、液晶画面から発せられるブルーライトが原因で、眼に慢性障害が生じやすくなることが分かっている。このため、保護フィルム製品の構造において、ブルーライトをカットしたり弱めたりする効果を備えることが、徐々に業界的な趨勢となってきている。よって、実施例１の第一本体３１０は、ブルーライト対応フィルムであるとともに、染色・塗布・コーティングといった方法によって反射層が設けられることにより、ブルーライトをカットしたり弱めたりする効果を達成する。
【００１１】
第二保護ユニット３２は、剥がし取りが可能なように第一本体３１０の表側面３１１に貼着されるとともに、第二本体３２１と、第二本体３２１における第一本体３１０に向いた一側に形成された第一粘着層３２２とからなる。このうち、第二本体３２１は、香り分子が付着されるか、或いは製造時に香り分子が添加されることにより、第一香気を有する。特筆すべき点は、使用前の実施例１における第二剥離膜３４は、第二本体３２１の第一香気を維持して、使用前に前記第一香気が消散するのを防ぐとともに、使用前の第二本体３２１を保護して、第二本体３２１が使用前に異物によって傷付けられるのを防ぐ、ということである。
【００１２】
また現在、静電容量方式タッチパネルの技術は既にかなり成熟しており、家庭用の電子機器商品に広く用いられている。よって、使用者が購入した電子機器に実施例１を貼着した時、静電容量方式タッチパネルをスムーズに使用できるようにするため、第一保護ユニット３１及び第二保護ユニット３２は、いずれも導電性素材を使用する必要があることを特記しておく。
【００１３】
図４を参照する。実施例１を使用する際は、まず第一剥離膜３３を剥がし取ってから、第一保護ユニット３１の結合層３１３によって、第一本体３１０及び第二保護ユニット３２を電子機器４の画面４１上に貼着させる。続いて、第二剥離膜３４を剥がせば、第二保護ユニット３２の第二本体３２１が有する第一香気が発散され始める。これにより、電子機器４を使用する際に、周囲に芳香が漂うという効果が得られ、より豊かな使用感を使用者に与えることが可能になる。
【００１４】
図３と図５を参照する。実施例１を画面４１上に貼着してから電子機器４を使用する時、使用者が電子機器４の操作のために第二保護ユニット３２上で指を頻繁にスライド移動させたり、埃や異物が擦れたりすることが原因で、第二保護ユニット３２上に傷跡ができる。このような傷跡によって、電子機器４を使用して画面４１を見る際の視覚効果に影響が出るようになった場合は、第二保護ユニット３２を第一本体３１０から剥がし取ればよい。これにより、未使用で摩損されていない第一本体３１０によって電子機器４の画面４１を保護することが可能なため、多層式保護フィルム３全体を取替えずとも、使用痕跡のない第一本体３１０によって、画面４１を操作する時の視覚効果を回復するとともに、実施例１の使用寿命を延ばすことができる。
【００１５】
（実施例２）
図６を参照する。本考案の多層式保護フィルム３の実施例２は、実施例１と以下の点において異なっている。即ち、実施例２には、更に、第二保護ユニット３２上に剥がし取りが可能なように貼着された第三保護ユニット３５が設けられ、第三保護ユニット３５は第三本体３５１と、第三本体３５１における第二保護ユニット３２に向いた一側に形成された第二粘着層３５２とからなる。このうち、第三本体３５１は第二香気を有する。また、第二剥離膜３４は、第三保護ユニット３５上に剥がし取りが可能なように貼着されて、第三本体３５１の第二香気を維持するとともに、第三本体３５１が使用前に異物によって傷付けられることを防ぐ。
【００１６】
図７を参照する。実施例２を使用する際、実施例２の第三保護ユニット３５は先に剥がしておくことが可能であり、この点において実施例１と異なっている。第一粘着層３２２の粘性は第二粘着層３５２よりも強いため、先に第三保護ユニット３５を剥がし取る時に、第二保護ユニット３２までもが一緒に剥がされてしまうことはない。第三保護ユニット３５を剥がし取った後も、第二保護ユニット３２は、第一保護ユニット３１上に貼着されたままであり、実施例１と同様の効果が得られる。即ち、実施例２は、実施例１と比較すると、消耗可能な第三保護ユニット３５が一層追加されているため、実施例１よりも、更に使用寿命を延長することができる。加えて、特殊な需要に応じて、各粘着層の粘着強度を変えたり、三層或いは三層以上の保護ユニットを設けたりすることにより、様々な使用者の需要に応えることが可能である。
【００１７】
この他、第三保護ユニット３５を剥がすタイミングについて、上述した摩損状態以外の場合を追記する。第三保護ユニット３５の第三本体３５１が有する第二香気は、第一香気と同様か或いは異なっており、第三保護ユニット３５の前記第二香気が使用時間の経過に伴って消散した時、第三保護ユニット３５を剥がし取って第二保護ユニット３２を使用することにより、第二保護ユニット３２の第二本体３２１が有する第一香気が続けて発散される。これにより、香気を放つ時間を延長したり、放たれる香気を変化させたりする効果が得られる。
【符号の説明】
【００１８】
（従来技術）
１            保護フィルム
１１   本体
１２   結合層
１３   剥離層
２            画面
（本考案）
３            多層式保護フィルム
３１   第一保護ユニット
３１０ 第一本体
３１１ 表側面
３１２ 結合面
３１３ 結合層
３２   第二保護ユニット
３２１ 第二本体
３２２ 第一粘着層
３３   第一剥離膜
３４   第二剥離膜
３５   第三保護ユニット
３５１ 第三本体
３５２ 第二粘着層
４            電子機器
４１   画面
【図１】
0003196045.tif 000003
【図２】
0003196045.tif 000004
【図３】
0003196045.tif 000005
【図４】
0003196045.tif 000006
【図５】
0003196045.tif 000007
【図６】
0003196045.tif 000008
【図７】
0003196045.tif 000009